(57)【特許請求の範囲】
【請求項１】
繰出し可能に紙幣を収納する第１の紙幣収納庫と、
繰出し可能に紙幣を収納し、前記第１の紙幣収納庫に対して紙幣の補充を行う第２の紙幣収納庫と、
前記第２の紙幣収納庫から繰出された紙幣を収納する第３の紙幣収納庫と、
顧客に対して出金紙幣を払い出すとともに入金紙幣を受け入れる接客口と、
顧客が出金取引を選択し、出金金額を入力する操作部と、
紙幣の金種を鑑別する鑑別部と、
前記第１、第２の紙幣収納庫、前記接客口および前記鑑別部に接続され紙幣を搬送する紙幣搬送路とを備え、
第１及び第２の金種の紙幣は前記第２の紙幣収納庫に収納され、
紙幣補充時には、前記第２の紙幣収納庫に収納した紙幣を繰り出して前記鑑別部に搬送して前記紙幣の金種を鑑別し、前記紙幣が前記第１の金種の紙幣であれば、該紙幣を前記第１の紙幣収納庫に収納し、前記紙幣が前記第２の金種の紙幣であれば、該紙幣を前記第２の紙幣収納庫に収納し、
顧客が出金取引を選択した時点から前記操作部を操作している間に所定枚数の第２の金種の紙幣を前記第２の紙幣収納庫から繰出して前記第３の紙幣収納庫に集積し、
顧客が出金金額を入力したとき、前記第１及び第２の金種の紙幣が指定されている場合は、前記第１の金種の紙幣を前記第１の紙幣収納庫から出金した後、前記第３の紙幣収納庫に集積された前記第２の金種の紙幣を出金することを特徴とする自動取引装置。
【請求項２】
繰出し可能に紙幣を収納する第１の紙幣収納庫と、
繰出し可能に紙幣を収納し、前記第１の紙幣収納庫に対して紙幣の補充を行う第２の紙幣収納庫と、
顧客に対して出金紙幣を払い出すとともに入金紙幣を受け入れる接客口と、
顧客が、少なくとも取引種目を選択する操作部と、
紙幣の金種を鑑別する鑑別部と、
前記第１、第２の紙幣収納庫、前記接客口および前記鑑別部に接続され紙幣を搬送する紙幣搬送路とを備え、
前記第２の紙幣収納庫内の紙幣を受け入れて収納する第３の紙幣収納庫を設け、
顧客が出金取引を選択した時点から前記操作部を操作している間に第２の紙幣収納庫から、所定枚数の出金するための紙幣を前記第３の紙幣収納庫に集積することを特徴とする自動取引装置。
【発明の詳細な説明】
【０００１】
【発明の属する技術分野】
本発明は、顧客の走査により紙幣の取引を自動的に行う自動取引装置に関し、特に小型化を図った自動取引装置に関する。
【０００２】
【従来の技術】
従来、銀行等で使用される自動取引装置には紙幣を収納する金庫が金種毎に複数個内蔵されている。即ち、万円券の金庫と千円券の金庫が別々に設けられている。出金取引の場合はこれらの金庫から必要な金種を必要な枚数だけ繰出して払出しを行い、入金取引の場合は再利用可能な紙幣を該当する金種の金庫に収納している。またこれらの金庫に対して紙幣の補充あるいは回収を効率良く行うために、補充／回収の専用のカセットが内蔵された自動取引装置も従来より実用化されている。
【０００３】
【発明が解決しようとする課題】
前述のように自動取引装置には、金種毎の金庫および補充／回収カセット等、いくつかの金庫が内蔵されており、そのために装置が大型になっているという問題があった。
【０００４】
【課題を解決するための手段】
上記課題を解決するために本発明の自動取引装置は、繰出し可能に紙幣を収納する第１の紙幣収納庫と、繰出し可能に紙幣を収納し、前記第１の紙幣収納庫に対して紙幣の補充を行う第２の紙幣収納庫と、前記第２の紙幣収納庫から繰出された紙幣を収納する第３の紙幣収納庫と、顧客に対して出金紙幣を払い出すとともに入金紙幣を受け入れる接客口と、顧客が出金取引を選択し、出金金額を入力する操作部と、紙幣の金種を鑑別する鑑別部と、前記第１、第２の紙幣収納庫、前記接客口および前記鑑別部に接続され紙幣を搬送する紙幣搬送路とを備え、第１及び第２の金種の紙幣は前記第２の紙幣収納庫に収納され、紙幣補充時には、前記第２の紙幣収納庫に収納した紙幣を繰り出して前記鑑別部に搬送して前記紙幣の金種を鑑別し、前記紙幣が前記第１の金種の紙幣であれば、該紙幣を前記第１の紙幣収納庫に収納し、前記紙幣が前記第２の金種の紙幣であれば、該紙幣を前記第２の紙幣収納庫に収納し、顧客が出金取引を選択した時点から前記操作部を操作している間に所定枚数の第２の金種の紙幣を前記第２の紙幣収納庫から繰出して前記第３の紙幣収納庫に集積し、顧客が出金金額を入力したとき、前記第１及び第２の金種の紙幣が指定されている場合は、前記第１の金種の紙幣を前記第１の紙幣収納庫から出金した後、前記第３の紙幣収納庫に集積された前記第２の金種の紙幣を出金することを特徴とする。
【０００５】
また、本発明の自動取引装置は繰出し可能に紙幣を収納する第１の紙幣収納庫と、繰出し可能に紙幣を収納し、前記第１の紙幣収納庫に対して紙幣の補充を行う第２の紙幣収納庫と、顧客に対して出金紙幣を払い出すとともに入金紙幣を受け入れる接客口と、顧客が、少なくとも取引種目を選択する操作部と、紙幣の金種を鑑別する鑑別部と、前記第１、第２の紙幣収納庫、前記接客口および前記鑑別部に接続され紙幣を搬送する紙幣搬送路とを備え前記第２の紙幣収納庫内の紙幣を受け入れて収納する第３の紙幣収納庫を設け、顧客が出金取引を選択した時点から前記操作部を操作している間に第２の紙幣収納庫から、所定枚数の出金するための紙幣を前記第３の紙幣収納庫に集積することを特徴とする。
【０００６】
【発明の実施の形態】
以下、本発明の実施の形態を図面にしたがって説明する。なお各図面に共通する要素には同一の符号を付す。図１は本発明の実施の形態の自動取引装置を示す側面図である。
【０００７】
図１において、自動取引装置１には紙幣入出金機２が内蔵されている。紙幣入出金機２は顧客の要求に応じて紙幣の払出しおよび紙幣の入金を行うもので、内部には紙幣を収納する紙幣収納庫３、異常紙幣を収納するエスクロウ部４、紙幣の鑑別を行う鑑別部５、入金紙幣を受入れるとともに出金紙幣を払出す接客口６、紙幣を収納すると共に紙幣収納庫３に対して紙幣の補充または回収を行う補充回収カセット７、出金時に顧客が取り忘れた紙幣を収納する取り忘れ紙幣収納庫８および出金時や回収時に鑑別部５により真券と判別されなかった紙幣を収納するリジェクト紙幣収納庫９がそれぞれ設けられている。
【０００８】
紙幣収納庫３の上部には一時保留部１０が設けられており、この一時保留部１０は入金された紙幣を集積して一時保留するとともに、出金の際紙幣収納庫３内の紙幣を繰出す。またこの一時保留部１０は後述する自動紙幣補充回収装置に接続可能になっており、搬送部１１から紙幣を送出可能になっている。また紙幣収納庫３内にはステージ３ａが上下動可能に設けられ、紙幣はこのステージ３ａ上に積載される。鑑別部５は紙幣の金種、真偽、正損等を判別する。この鑑別部５は紙幣を両方向に搬送できるようになっている。
【０００９】
補充回収カセット７には、紙幣を繰出す繰出し部１２、紙幣を内部に引入れる集積部１３、１４が設けられている。また繰出し部１２に対応して紙幣収納部１５が設けられ、集積部１３に対応して回収された紙幣が収納される回収部１６が、また集積部１４に対応して紙幣補充の際に出金用紙幣として不適と判定された紙幣が収納されるリジェクト紙幣収納部１７がそれぞれ設けられている。紙幣収納部１５にはステージ１５ａが上下動可能に配設されており、紙幣はこのステージ１５ａ上に積載される。補充回収カセット７は装置１に対して着脱可能になっている。
【００１０】
上記の各部間には紙幣を搬送する紙幣搬送路１８が配設されている。そして搬送路１８の各分岐点には紙幣の搬送方向を切替える切替えブレード１９ａ〜１９ｇがそれぞれ配設されている。この紙幣搬送路１８は所定の位置に回転可能に配設されたローラにより双方向に紙幣を搬送可能になっている。
【００１１】
取引装置１の前方には顧客が操作を行う顧客操作部２０が設けられている。顧客操作部２０は表示部付きタッチパネル等で構成され、顧客が取引種別、取引金額、暗証番号等を入力できるようになっている。
【００１２】
なお取引装置１には上記のほかに、通帳処理装置、明細票印刷装置、カード処理装置等が設けられているが、これらの装置は本発明には直接は関係しないので説明を省略する。
【００１３】
図２は実施の形態の紙幣入出金機を示すブロック図である。図２において、主制御部３１は自動取引装置１の動作全体を制御するもので、この主制御部３１には顧客操作部２０および紙幣入出金機２が接続されている。主制御部３１にはさらに図示していない他の装置（通帳処理装置、明細票印刷装置、カード処理装置等）が接続されているが、発明に直接関係がないので、ここでは説明を省略する。
【００１４】
主制御部３１は紙幣入出金機２の制御部３２に接続され、この制御部３２を制御する、紙幣入出金機制御部３２は、紙幣入出金機２の動作全体を制御するもので、Ｉ／Ｏインタフェース回路３３を介して、図１で説明した各部に接続されている。モータ駆動回路３４はモータ３５を駆動する回路で、このモータ３５を駆動することにより一時保留部１０は紙幣の集積を行うとともに一時保留部１０からの紙幣の繰出しを行う。モータ駆動回路３６はモータ３７を駆動する回路で、このモータ３７を駆動することにより、紙幣収納庫３のステージ３ａの上昇、下降動作を行う。
【００１５】
モータ駆動回路３８はモータ３９を駆動する回路で、このモータ３９を駆動することにより、エスクロウ部４への紙幣の集積を行うとともにエスクロウ部４からの紙幣の繰出しを行う。モータ駆動回路４０はモータ４１を駆動する回路で、このモータ４１を駆動することにより、補充回収カセット７への紙幣の集積を行うとともに補充回収カセット７からの紙幣の繰出しを行う。
【００１６】
モータ駆動回路４２はモータ４３を駆動する回路で、このモータ４３を駆動することにより、紙幣搬送路１８の搬送ローラが回転して紙幣が搬送可能になる。紙幣は双方向に搬送可能である。マグネット駆動回路４４はプランジャマグネット４５を駆動する回路で、このプランジャマグネット４５を駆動することにより、搬送路１８に配設された切替えブレード１９ａ〜１９ｇを作動させる。
【００１７】
また紙幣入出金機制御部３２は鑑別部５に接続されており、鑑別部５で紙幣の鑑別を行うとその鑑別情報が入出金機制御部３２へ送られ、入出金機制御部３２はこの情報に基づいて金種、真偽、正損等を判別する。
【００１８】
次に本実施の形態の動作を説明する。まず紙幣収納庫３へ紙幣を補充する動作を図３により説明する。紙幣収納庫３への紙幣の補充動作は、業務開始時または紙幣収納庫３内の紙幣が少なくなった場合に行われる。このとき補充回収カセット７には２種類の金種（万円券、千円券）の紙幣が収納されているとする。紙幣入出金機制御部３２の指示により補充回収カセット７のモータ駆動回路４０がモータ４１を駆動すると、繰出し部１２からステージ１５ａ上の紙幣Ｐが１枚ずつ搬送路１８へ繰出される。
【００１９】
搬送路１８に繰出された紙幣Ｐは図３に太実線で示すように搬送されて鑑別部５へ送られる。鑑別部５で紙幣Ｐの金種、真偽等が鑑別される。鑑別の結果、万円券と判別された紙幣Ｐは切替えブレード１９ｄの切替えにより一時保留部１０内へ集積される。万円券はさらに一時保留部１０から紙幣収納庫３のステージ３ａ上に集積される。また鑑別により千円券と判別された紙幣Ｐは、鑑別部５を出てから搬送路１８を搬送されて、補充回収カセット７の集積部１３から回収部１６に集積される。また鑑別により出金に適しないと判別された紙幣Ｐはさらに搬送路１８を搬送されて、補充回収カセット７の集積部１４からリジェクト紙幣収納部１７へ収納される。
【００２０】
補充回収カセット７の回収部１６に集積された紙幣Ｐは、図示しない手段によりステージ１５ａ上に集積され、繰出し可能な状態に置かれる。
【００２１】
業務開始時等、補充動作を行う前に紙幣収納庫３に紙幣が全く収納されていない場合は、上記の補充動作により紙幣収納庫３には万円券のみが収納される。紙幣収納庫３への補充は必要な枚数の万円券が収納されるまで行われる。補充回収カセット７内の紙幣がすべて補充に供されたとすると、補充回収カセット７の紙幣収納部１５のステージ１５ａ上にはすべて千円券が集積される。以上により万円券と千円券が紙幣収納庫３と補充回収カセット７とに分離して収納される。この状態で取引が行われる。即ち、後述のように、紙幣収納庫３と補充回収カセット７は共に出金用紙幣および入金紙幣の収納庫として使用される。
【００２２】
次に出金取引を行う場合の動作を図４、図５により説明する。図４は万円券の出金取引動作を示す側面図、図５は千円券の出金取引動作を示す側面図である。まず顧客が顧客操作部２０を操作することにより出金取引が開始される。顧客の本人確認後に出金金額が入力されると、出金動作が開始される。
【００２３】
まず図４において、万円券のみが出金指定された場合、紙幣収納庫３内の万円券を１枚ずつ指定された枚数繰出し、太実線で示すように紙幣搬送路１８へ送り出す。そして搬送路１８により鑑別部５へ送られ、ここで鑑別される。鑑別の結果異常がなければ、搬送路１８により接客口６へ送られる。鑑別の結果異常があると判別された紙幣Ｐは、切替えブレード１９ａにより搬送方向を切替えられ、太破線で示すように搬送路１８によりリジェクト紙幣収納庫９へ送られてここに収納される。指定された枚数の万円券が接客口６へ払出されることにより、集金動作を終了する。
【００２４】
図５において、出金取引において顧客により千円券のみの出金が指定された場合は、補充回収カセット７の収納部１５から繰出し部１２により紙幣Ｐが１枚ずつ搬送路１８へ繰出される。搬送路１８へ繰出された紙幣Ｐは、太実線で示すように搬送され、鑑別部５へ送られる。鑑別部５で鑑別された結果、異常がなければ紙幣Ｐは一時保留部１０へ送られる。異常ありと判別された紙幣は、太破線で示すようにリジェクト紙幣収納部１７へ送られる。一時保留部１０へ指定された枚数が集積されると、次にこの一時保留部１０から１枚ずつ搬送路１８に繰出す。そして鑑別部５を通過して、接客口６へ払出す。これにより千円券のみの払出しを行う。
【００２５】
また万円券と千円券の両方が顧客により指定された場合は、まず万円券の払出しを上述のように行った後、千円券の払出しを行うようにする。この場合は勿論万円券と千円券の払出しの順序を変えてもよい。
【００２６】
以上により出金取引を行うが、千円券の払出しを他の方向で行うようにしてもよい。千円券の払出しの他の方法について図６により説明する。図６は他の出金動作を示す側面図である。
【００２７】
顧客が顧客操作部２０により出金取引を選択すると、その時点から補充回収カセット７の収納部１５から千円券の繰出しを開始する。繰出された紙幣Ｐは搬送路１８により鑑別部５へ送られ、ここで鑑別された後、図６に太実線で示すように、エスクロウ部４内へ集積される。集積される枚数は予め設定しておく。例えばここでは１０枚とする。この集積動作は顧客が顧客操作部２０を操作している間に行われる。即ち、顧客が取引種別を選択した後、カードの挿入、通帳の挿入、暗証番号の入力、金額の入力が行われる。これらの操作を行う前にエスクロウ部４への千円券の集積が行われるのである。
【００２８】
この後、万円券の出金が指定されていれば、万円券の払出しが行われる。この払出し動作は上記と同様である。そして千円券の出金が指定されていれば、次にエスクロウ部４に集積されている千円券の払出しを行う。即ち、エスクロウ部４から千円券を１枚ずつ搬送路１８へ繰出し、鑑別部５を通って接客口６へ必要な枚数を払出す。通常、顧客が取引する際の千円券の払出し平均枚数は９枚以下である。したがってエスクロウ部４に１０枚千円券を集積しておくことにより、通常の場合は千円券出金に対応できる。エスクロウ部４に残った千円券は取引終了後、補充回収カセット７に戻される。
【００２９】
エスクロウ部４に集積される千円券の枚数は１０枚に限られない。顧客操作部２０での操作時間が許容する限りで、より多くの枚数の千円券を集積させるようにしてもよい。より多くの枚数を集積させることにより、１０枚以上の出金にも対応可能である。
【００３０】
以上のように、出金取引を行う場合、予め千円券を補充回収カセット７からエスクロウ部４へ集積しておくことにより、千円券の出金要求があった場合に払出し時間を短縮することが可能である。
【００３１】
次に入金動作を図７、図８により説明する。図７、図８は入金動作を示す側面図である。図７において、まず顧客が顧客操作部２０で入金取引を選択して、入金紙幣を接客口６に投入すると、接客口６から入金紙幣が１枚ずつ搬送路１８に繰出される。繰出された紙幣は太実線で示すように搬送路１８により鑑別部５へ送られ、ここで鑑別される。鑑別の結果、異常と判別された紙幣は太破線で示すようにエスクロウ部４へ収納される。エスクロウ部４に収納された異常券は、すべての入金紙幣を取り込んだ後、接客口６へ送り戻されて、顧客に返却される。
【００３２】
鑑別の結果、正常と判別された紙幣は、図７に太実線で示すように、さらに搬送路１８を搬送されて一時保留部１０へ集積される。一時保留部１０に集積される紙幣は、万円券のみ、千円券のみ、五千円券のみ、あるいはこれらの紙幣の混在があり得る。本実施の形態では、入金紙幣の金種の状態により、以降の処理が異なる。即ち、万円券のみの場合、千円券のみの場合、五千円券のみの場合、それ以外の場合で処理を異ならせる。
【００３３】
図７において、入金紙幣が万円券のみの場合、顧客から入金金額の確認が得られると、一時保留部１０から紙幣収納庫３内に収納される。入金金額の確認は、顧客操作部２０の表示部に金額を表示し、これを見た顧客が確認キーを押下することにより行われる。入金紙幣が千円券のみの場合は、顧客の確認を得た後、一時保留部１０から搬送路１８に繰出され、一旦鑑別部５方向へ搬送されて、補充回収カセット７の回収部１６へ収納される。入金紙幣が五千円券のみの場合は、顧客の確認を得た後、一時保留部１０から搬送路１８へ繰出されて、同様に一旦鑑別部５方向に搬送されて、リジェクト紙幣収納庫９に収納される。
【００３４】
図８において、入金紙幣が混在した紙幣である場合、一時保留部１０からすべての紙幣が搬送路１８に繰出され、鑑別部５方向に搬送され、鑑別部５を通って接客口６へ搬送される。そして接客口６から再度１枚ずつ搬送路１８に繰出され、鑑別部５へ送られる。鑑別部５で金種が判別され、その判別結果に従ってそれ以降の搬送経路を切替える。即ち、万円券と判別された紙幣は一時保留部１０へ送られ、千円券と判別された紙幣は、切替えブレード１９ｄで搬送方向を切替えられて補充回収カセット７の回収部１６へ送られ、また五千円券と判別された紙幣はリジェクト紙幣収納庫９へ送られる。一時保留部１０へ送られた万円券はその後紙幣収納庫３へ収納される。
【００３５】
以上により入金紙幣の収納が行われる。入金紙幣が混在した紙幣である場合でも、金種毎に分別して収納されるので、紙幣収納庫３および補充回収カセット７の収納紙幣の金種の単一性は保持される。
【００３６】
以上説明した実施の形態は、業務開始時に、紙幣収納庫３に万円券を収納し、補充回収カセット７に千円券を収納して、予め収納紙幣を金種別に分離して取引を開始するようにしたものであるが、紙幣収納庫３と補充回収カセット７とで収納紙幣の金種を変えてもよい。紙幣収納庫３に収納する金種を千円券とし、補充回収カセット７に収納する金種を万円券とした場合、出金取引および入金取引の動作は、上記の出金取引および入金取引の説明で万円券と千円券を入れ替えて説明できる。しかしながら、紙幣収納庫３には取引において使用頻度の高い金種の紙幣を収納することが望ましい。
【００３７】
本発明は上記実施の形態に限定されない。ここで他の実施の形態について説明する。他の実施の形態は、紙幣収納庫３には主として（全部でなくともよい）万円券が収納され、万円券のほかには千円券が収納される。補充回収カセット７の収納部１５には主として（全部でなくともよい）千円券が収納され、千円券のほかには万円券が収納される。なお紙幣入出金機２の構成は前記実施の形態と同様である。
【００３８】
まず入金取引について説明する。図９は他の実施の形態の入金動作を示す側面図である。顧客から入金紙幣が接客口６に投入されると、１枚ずつ搬送路１８に繰出されて鑑別部５へ送られる。鑑別部５で金種、真偽等が判別される。鑑別部５で異常と判別された紙幣はエスクロウ部４へ送られ、異常でないと判別された紙幣は一時保留部１０へ集積される。エスクロウ部４に送られた紙幣はその後接客口６に返却される。
【００３９】
一時保留部１０に万円券のみが集積された場合、および万円券を含む金種が混在して集積された場合、集積された紙幣は紙幣収納庫３へそのまま収納される。集積紙幣が千円券のみである場合は、一時保留部１０から紙幣が搬送路１８へ繰出され、鑑別部５方向へ送られて、太実線で示すように補充回収カセット７の回収部１６に収納される。また集積紙幣が五千円券のみである場合、一時保留部１０から搬送路１８へ繰出され、鑑別部５方向へ送られて、リジェクト紙幣収納庫９へ収納される。また千円券と五千円券が混在して集積された場合は、鑑別部５で金種別に分別されて、千円券は補充回収カセット７の回収部１６に収納され、五千円券はリジェクト紙幣収納庫９へ収納される。以上で入金動作を終了する。
【００４０】
以上のように金種が混在して入金された場合、万円券を含む混在紙幣は一括して紙幣収納庫３へ収納するので、入金紙幣の収納に時間がかからず、次の取引を即座に開始することができる。したがって次に取引を行おうとする顧客を待たせることがない。
【００４１】
次に他の実施の形態の出金動作を説明する。図１０は他の実施の形態の出金動作を示す側面図である。図１０において、顧客が指定した出金金額に万円券が含まれている場合、紙幣収納庫３から紙幣が一時保留部１０へ繰出され、さらに搬送路１８へ繰出されて鑑別部５へ送られる。鑑別部５で金種等が判別され、万円券と判別された紙幣は接客口６へ搬送され、千円券と判別された紙幣は補充回収カセット７の回収部１６に収納される。また五千円券または異常券と判別された紙幣はリジェクト紙幣収納庫９に収納される。顧客の指定した出金金額が万円券のみの支払いである場合は、接客口６に指定枚数が集積された時点で搬送を停止し、接客口６の紙幣が取り出されて取引を終了する。
【００４２】
顧客の指定した出金金額が万円券と千円券で支払われる場合は、万円券を接客口６に必要枚数払出した後、補充回収カセット７の収納部１５から紙幣を搬送路１８へ繰出す。繰出された紙幣は鑑別部５へ搬送され、ここで鑑別されて異常でないと判別された紙幣は一時保留部１０へ集積される。ここに集積された紙幣には指定通りの枚数の千円券が含まれるが、その他の金種も含まれることがある。少なくとも指定通りの千円券が集積された後、今度は集積された紙幣を搬送路１８へ繰出して、鑑別部５へ送る。鑑別部５で金種を判別して、千円券をすでに万円券が集積されている接客口６へ搬送する。その他の金種はリジェクト紙幣収納部１７へ収納する。
【００４３】
顧客の指定した出金金額が千円券のみの場合は、紙幣収納庫３からの紙幣の繰出しを行わず、補充回収カセット７の収納部１５から紙幣が搬送路１８へ繰出され、鑑別部５へ搬送される。鑑別部５で金種等が判別され、指定通りの枚数の千円券が計数されると、鑑別部５を通過した紙幣は一時保留部１０に集積される。また異常と判別された紙幣はリジェクト紙幣収納庫９に収納される。一時保留部１０に集積された紙幣には千円券以外の金種も含まれる場合があるが、これらの紙幣は再度搬送路１８に繰出され、鑑別部５で金種が判別されて千円券は接客口６へ払出され、その他の金種は、もしあれば、リジェクト紙幣収納部１７へ収納される。
【００４４】
以上のように他の実施の形態においては、金種が混在した紙幣が入金された場合、取引終了後に入金紙幣を金種別に分離する必要がないので、次の取引をすぐに開始することができる。
【００４５】
本発明の自動取引装置１は、該装置１に紙幣を自動的に補充するとともに該装置１から紙幣を自動的に回収する自動補充回収装置が接続可能になっている。図１１は自動取引装置を自動補充回収装置に接続した状態を示す側面図である。図１１において、自動補充回収装置５１には紙幣を収納する紙幣収納庫５２、紙幣搬送路５３、鑑別部５４、補充用分岐搬送路５５および回収用分岐搬送路５６がそれぞれ設けられている。
【００４６】
紙幣入出金機２の補充回収カセット７に紙幣を補充する場合、自動補充回収装置５１の紙幣収納庫５２から紙幣が繰出され、鑑別部５４で鑑別されて補充用分岐搬送路５５から入出金機２内へ搬送される。入出金機２内へ搬送された紙幣は鑑別部５へ送られ、金種判別される。ここで万円券と判別された紙幣は一時保留部１０へ送られ、千円券と判別された紙幣は搬送路１８により補充回収カセット７の回収部１６へ補充される。また鑑別部５で異常と判別された紙幣は一時保留部１０を経由し、回収用分岐搬送路５６から自動補充回収装置５１内へ戻され、紙幣収納庫５２に収納される。一時保留部１０に送られた万円券はその後紙幣収納庫３に収納される。
【００４７】
紙幣入出金機２から紙幣を回収する場合は、まず予め紙幣収納庫３内の紙幣は補充回収カセット７に回収される。これについて説明すると、紙幣収納庫３から紙幣が一時保留部１０へ繰出され、さらに搬送路１８により鑑別部５へ送られる。鑑別部５で異常と判別された紙幣はリジェクト紙幣収納庫９に収納され、その他の紙幣は補充回収カセット７の回収部１６に収納される。このようにして紙幣収納庫３内のすべての紙幣が回収部１６またはリジェクト紙幣収納庫９に収納され、補充回収カセット７への回収を行う。
【００４８】
次に補充回収カセット７から自動補充回収装置５１へ回収する場合、まず補充回収カセット７から繰出された紙幣は鑑別部５へ送られ、ここで異常かどうか判別する。異常でないと判別された紙幣は、一時保留部１０へ送られ、異常紙幣はリジェクト紙幣収納庫９へ収納される。一時保留部１０へ送られた紙幣は、ここから回収用分岐搬送路５６を通って自動補充回収装置５１内へ送り込まれ、紙幣収納庫５２へ収納される。
【００４９】
以上のように自動補充回収装置５１に接続することにより、取引装置１内の紙幣の補充および回収を自動的に行うことができる。とくに本発明のように、出金用の紙幣を収納する収納庫の数を少なくすると、紙幣の絶対的な収納量が制限されるので、上記のような自動補充回収装置を接続可能にすることは紙幣の保有量を確保する上で有効な手段である。
【００５０】
【発明の効果】
以上詳細に説明したように本発明によれば、繰出し可能に紙幣を収納する第１と第２の紙幣収納庫を設け、入金する場合は該第１または第２の紙幣収納庫へ入金するようにし、出金する場合は前記第１または第２の紙幣収納庫から出金するようにしたので、紙幣収納庫を金種別に設ける必要がなく、紙幣収納庫の数を減らすことが可能である。
【図面の簡単な説明】
【図１】発明の実施の形態の自動取引装置を示す側面図である。
【図２】実施の形態の紙幣入出金機を示すブロック図である。
【図３】補充動作を示す側面図である。
【図４】出金動作を示す側面図である。
【図５】出金動作を示す側面図である。
【図６】他の出金動作を示す側面図である。
【図７】入金動作を示す側面図である。
【図８】入金動作を示す側面図である。
【図９】他の実施の形態の入金動作を示す側面図である。
【図１０】他の実施の形態の出金動作を示す側面図である。
【図１１】自動補充回収装置を接続した状態を示す側面図である。
【符号の説明】
１  自動取引装置
２  紙幣入出金機
３  紙幣収納庫
４  エスクロウ部
５  鑑別部
６  接客口
７  補充回収カセット
９  リジェクト紙幣収納庫
１８  紙幣搬送路
５１  自動補充回収装置
【図１】
0003776178.tif 000002
【図２】
0003776178.tif 000003
【図３】
0003776178.tif 000004
【図４】
0003776178.tif 000005
【図５】
0003776178.tif 000006
【図６】
0003776178.tif 000007
【図７】
0003776178.tif 000008
【図８】
0003776178.tif 000009
【図９】
0003776178.tif 000010
【図１０】
0003776178.tif 000011
【図１１】
0003776178.tif 000012